(57)【特許請求の範囲】
【請求項１】
スリット(22)にコインを投入した状態で一方向にのみ回転自在な摘み部材(16)を手動で回転することによりハウジング(2)の内部から外部に向けて物品を押し出す操作機構(6)と、前記摘み部材(16)を始点から終点まで所定角度で１回転だけ回転可能とする操作許可機構(23)を備えた物品供給装置において、
前記操作機構(6)は、ハウジング(2)の正面壁(2a)に取付けられた上部にコイン投入用スリット(22)を開設した盤状のケーシング(20)と、該盤状ケーシング(20)を貫通すると共にハウジング(2)の内部に臨んで配置したラチェットホイール(18)及びラチェット爪(24)から成るワンウエイ手段(19)により一方向にのみ回転自在とされた駆動軸(21)と、前記盤状ケーシング(20)の外側で前記駆動軸(21)に同行回転するように軸着された摘み部材(16)と、前記盤状ケーシング(20)の内部で前記駆動軸(21)に同行回転するように軸着された回転体(17)とから成り、
前記回転体(17)は、該回転体の周壁部(26)を盤状ケーシング(20)の凹部(27)に収納されると共に、前記周壁部(26)と凹部(27)の間に環状の通路(27a)を形成し、
前記操作許可機構(23)は、投入されたコインを受け取った状態で該コインの周縁一部が前記通路(27a)を移動するように前記回転体(17)と同行させ、該回転体(17)が所定回転したときコインを落下させるように前記周壁部(26)に切欠形成されたポケット(28)と、該回転体(17)と盤状ケーシング(20)の間に設けられた係脱機構(29)を構成し、
前記係脱機構(29)は、回転体(17)に同心円状に設けられたリブ状の円環壁(30)と、該円環壁(30)の一部に切欠形成された係止溝(32)と、盤状ケーシング(20)の凹部(27)に設けた揺動自在なアーム(33)と、該アーム(33)を円環壁(30)に向けて付勢するスプリング(34)を備え、前記アーム(33)は、スプリング(34)により付勢された状態で前記係止溝(32)に進入することにより回転体(17)の回転を阻止する先端(33a)と、該先端(33a)を前記係止溝(32)に進入させたときは前記通路(27a)に位置すると共にアーム(33)をスプリングに抗して回動したときは前記通路(27a)から退避する作動片(33b)を設けており、
前記ポケット(28)にコインを受け取った状態でワンウエイ手段(19)により許された一方向に向けて回転体(17)を摘み部材(16)により回転したとき、通路(27a)を移動するコインが前記作動片(33b)を押動することによりアーム(33)の先端(33a)を係止溝(32)から退避させ、コインが作動片(33b)を通過するとアーム(33)がスプリングにより揺動復帰して先端(33a)を円環壁(30)に当接した状態で回転体(17)の回転を許し、ポケット(28)からコインが落下して回転体(17)が終点に到達したとき、アーム(33)の先端(33a)が係止溝(32)に進入することにより該回転体(17)の回転を阻止するように構成して成ることを特徴とする物品供給装置における操作機構。
【発明の詳細な説明】
【技術分野】
【０００１】
本発明は、小物品を商品として販売する販売機等の物品供給装置における操作機構に関する。
【背景技術】
【０００２】
従来、例えば、キャラクターを印刷したラベルシールを備えたカード物品や、その他の小物品を商品として販売する販売機が知られている。このような販売機は、電動式のものが主流を占めるが、電源等による設置場所に制限のない手動機械式のものが好ましい。
【０００３】
手動機械式の販売機は、ハウジングと、ハウジングの内部で多数の物品を上下に積層するストッカーと、最下位の物品をストッカーからハウジングの外部に搬出する搬出口と、ストッカーの背部に位置する始動位置とストッカーの底部に位置する駆動位置との間を移動することにより最下位の物品を搬出口から押し出すイジェクタ機構と、ハウジングの外側で手動駆動される操作機構と、該操作機構の動力をイジェクタ機構に伝達する連動機構を備えている。
【０００４】
操作機構は、例えば、一方向にのみ回転自在な摘み部材を備えており、ハウジングの外側に設けたスリットにコインを投入したとき、該摘み部材を始点から終点まで所定回転角度で１回だけ回転可能とする操作許可機構を設けている。換言すれば、操作許可機構は、コインを投入しない限り摘み部材を回転不能に保持する。
【０００５】
そこで、物品購入を目的とする顧客は、スリットにコインを投入した後、手動により摘み部材を始点から終点まで回転する。手動された操作機構の動力は、連動機構を介してイジェクタ機構に伝達され、イジェクタ機構が始動位置から駆動位置に移動し、積層された物品のうち最下位の物品を搬出口から外部に押し出すことにより顧客に供給する。この１回の動作が終わると、摘み部材は回転不能に保持される。
【０００６】
【特許文献１】特開２００２−２４９２９号公報
【特許文献２】特開平８−１２９６６７号公報
【発明の開示】
【発明が解決しようとする課題】
【０００７】
本発明は、上記のような物品供給装置における操作機構に関して、新たな操作機構を提案する。
【課題を解決するための手段】
【０００８】
そこで、本発明が手段として構成したところは、スリット(22)にコインを投入した状態で一方向にのみ回転自在な摘み部材(16)を手動で回転することによりハウジング(2)の内部から外部に向けて物品を押し出す操作機構(6)と、前記摘み部材(16)を始点から終点まで所定角度で１回転だけ回転可能とする操作許可機構(23)を備えた物品供給装置において、前記操作機構(6)は、ハウジング(2)の正面壁(2a)に取付けられた上部にコイン投入用スリット(22)を開設した盤状のケーシング(20)と、該盤状ケーシング(20)を貫通すると共にハウジング(2)の内部に臨んで配置したラチェットホイール(18)及びラチェット爪(24)から成るワンウエイ手段(19)により一方向にのみ回転自在とされた駆動軸(21)と、前記盤状ケーシング(20)の外側で前記駆動軸(21)に同行回転するように軸着された摘み部材(16)と、前記盤状ケーシング(20)の内部で前記駆動軸(21)に同行回転するように軸着された回転体(17)とから成り、前記回転体(17)は、該回転体の周壁部(26)を盤状ケーシング(20)の凹部(27)に収納されると共に、前記周壁部(26)と凹部(27)の間に環状の通路(27a)を形成し、前記操作許可機構(23)は、投入されたコインを受け取った状態で該コインの周縁一部が前記通路(27a)を移動するように前記回転体(17)と同行させ、該回転体(17)が所定回転したときコインを落下させるように前記周壁部(26)に切欠形成されたポケット(28)と、該回転体(17)と盤状ケーシング(20)の間に設けられた係脱機構(29)を構成し、前記係脱機構(29)は、回転体(17)に同心円状に設けられたリブ状の円環壁(30)と、該円環壁(30)の一部に切欠形成された係止溝(32)と、盤状ケーシング(20)の凹部(27)に設けた揺動自在なアーム(33)と、該アーム(33)を円環壁(30)に向けて付勢するスプリング(34)を備え、前記アーム(33)は、スプリング(34)により付勢された状態で前記係止溝(32)に進入することにより回転体(17)の回転を阻止する先端(33a)と、該先端(33a)を前記係止溝(32)に進入させたときは前記通路(27a)に位置すると共にアーム(33)をスプリングに抗して回動したときは前記通路(27a)から退避する作動片(33b)を設けており、前記ポケット(28)にコインを受け取った状態でワンウエイ手段(19)により許された一方向に向けて回転体(17)を摘み部材(16)により回転したとき、通路(27a)を移動するコインが前記作動片(33b)を押動することによりアーム(33)の先端(33a)を係止溝(32)から退避させ、コインが作動片(33b)を通過するとアーム(33)がスプリングにより揺動復帰して先端(33a)を円環壁(30)に当接した状態で回転体(17)の回転を許し、ポケット(28)からコインが落下して回転体(17)が終点に到達したとき、アーム(33)の先端(33a)が係止溝(32)に進入することにより該回転体(17)の回転を阻止するように構成して成る点にある。
【発明の効果】
【０００９】
本発明の操作機構６は、スリット２２にコインを投入した後、摘み部材１６を手動回転することにより回転体１７を一方向にのみ始点から終点まで所定角度で１回転だけ回転させ、該回転体１７が終点に到達するまでにコインを落下させ、この回転操作に連動して物品をハウジング２の外部に搬出させることを可能とする。
【００１０】
この際、操作機構６は、上部にコイン投入用スリット２２を開設した盤状のケーシング２０をハウジング２の正面壁２ａに取付けることにより設けられるように構成されており、回転体１７の周壁部２６を盤状ケーシング２０の凹部２７に収納することにより該周壁部２６と凹部２７の間に環状の通路２７ａが形成され、該通路２７ａを利用することにより操作許可機構２３が設けられており、該操作許可機構２３は、投入されたコインを受け取った状態で該コインの周縁一部が前記通路２７ａを移動するように前記回転体１７と同行させ、該回転体１７が所定回転したときコインを落下させるように前記周壁部２６に切欠形成されたポケット２８と、該回転体１７とケーシング２０の間に設けられた係脱機構２９により構成されている。そして、前記係脱機構２９は、回転体１７に同心円状に設けられたリブ状の円環壁３０と、該円環壁３０の一部に切欠形成された係止溝３２と、ケーシング２０の凹部２７に設けた揺動自在なアーム３３と、該アーム３３を円環壁３０に向けて付勢するスプリング３４を備え、前記アーム３３は、スプリング３４により付勢された状態で前記係止溝３２に進入することにより回転体１７の回転を阻止する先端３３ａと、該先端３３ａを前記係止溝３２に進入させたときは前記通路２７ａに位置すると共にアーム３３をスプリングに抗して回動したときは前記通路２７ａから退避する作動片４４ｂを設けている。
【００１１】
従って、本発明によれば、ワンウエイ手段１９と係脱機構２９により回転体１７を所定の回動位置に待機させた状態でスリット２２にコインを投入し、該コインをポケット２８に受け取らせた状態で摘み部材１６を一方向に回転すると、回転体１７と同行するコインが通路２７ａを移動して作動片３３ｂを押動することによりアーム３３の先端３３ａを係止溝３２から退避させ、該回転体１７がワンウエイ手段１９により許された一方向に向けて回転することを許す。この際、コインが作動片３３ｂを通過した後は、アーム３３がスプリング３４により揺動復帰するが、アーム３３の先端３３ａを円環壁３０に当接させるので、ワンウエイ手段１９に従って回転体(17)の回転を可能とする。そして、ポケット２８からコインが落下して回転体１７が終点に到達すると、スプリング３４によりアーム３３の先端３３ａを係止溝３２に進入させることにより、該回転体１７の回転を阻止する。従って、コイン自体を利用することにより摘み部材１６の回転を許し、所定角度で１回転だけ回転した後は自動的に摘み部材１６の回転をロックする操作機構を提供できるという効果がある。
【発明を実施するための最良の形態】
【００１２】
以下図面に基づいて本発明の好ましい実施形態を詳述する。物品供給装置１の正面を図１に示し、一部を断面で表した背面を図２に示し、縦断面を図３に示している。尚、図面は、本発明を説明するための必要最小限の機構を示しており、従って、実際の実施例には図示省略した構成が含まれることを諒解されたい。
【００１３】
図１ないし図３に示すように、物品供給装置１は、ハウジング２と、該ハウジング２の内部で多数の物品Ｍを上下に積層するストッカー３と、最下位の物品ＭＬをストッカー３からハウジング２の外部に搬出する搬出口４と、ストッカー３の背部に位置する始動位置Ｓ（図８）とストッカー３の底部に位置する駆動位置Ｔ（図９）との間を移動することにより最下位の物品ＭＬを搬出口４から押し出すイジェクタ機構５と、ハウジング２の外側で手動駆動される操作機構６と、該操作機構６の動力をイジェクタ機構５に伝達する連動機構７から構成されている。
【００１４】
図示のように、ストッカー３は、好ましくは複数列、図例の場合は３列が並設されており、各ストッカー３に対応して搬出口４、イジェクタ機構５、操作機構６、連動機構７が個別に設けられている。図示実施形態の場合、物品Ｍとしてキャラクターを印刷したラベルシールを備えたカード物品を例示しており、キャラクターを相違する３種類の物品Ｍがそれぞれ３列のストッカー３に積層され、これに応じて、ハウジング２の正面壁２ａに商品の情報表示８が添設されている（図１参照）。例えば、カード物品の場合、それぞれの搬出口４に対応して該搬出口４から搬出されるカード物品のサンプルが情報表示８として添設される。
【００１５】
（ストッカーの構成）
ストッカー３は、図３及び図５に示すように、物品Ｍを載置するテーブル壁９と、該テーブル壁９の上に多数の物品Ｍを積層した状態で、該物品Ｍを左右方向に移動しないように保持する側壁１０、１０と、両側壁から相対向するように折曲されて物品Ｍを背部方向に移動しないように保持する細幅の背壁１１、１１と、物品Ｍを前方に移動しないように保持する前壁１２により囲まれたほぼ筒状空間を形成し、前記テーブル壁９の前方に位置して前壁１２に搬出口４を開設し、筒状空間の上部を開口３ａしている。尚、図例の場合、前壁１２はハウジング２の正面壁２ａにより構成されている。従って、手指で把持した物品Ｍを開口３ａから投入し、背壁１１、１１の間の開放空間を介して物品Ｍをテーブル壁９の上に順次載せていくことにより、積層された多数の物品Ｍがストッカー３に収納される。
【００１６】
（イジェクタ機構の構成）
イジェクタ機構５は、図４及び図５に示すように、前記テーブル壁９をストッカー３の背部方向に延長することにより形成されたガイド部材１３と、該ガイド部材１３の前後方向に延びる窓孔１４ａから成るガイド路１４と、該ガイド路１４に摺動自在に搭載されたスライダ１５により構成されており、スライダ１５は、前端にテーブル壁９の上面から所定高さで突出する当接部１５ａを備えている。尚、当接部１５ａの突出高さ寸法は、物品Ｍの上下高さ寸法よりも小さいが、物品Ｍの押し出しを可能とする十分な高さを有するように形成されている。
【００１７】
スライダ１５は、連動機構７の作動により、ガイド路１４に沿って前後方向に移動し、ストッカー３の背部に位置する始動位置Ｓとストッカー３の底部に位置する駆動位置Ｔとの間を往復移動する。始動位置Ｓに移動したとき、スライダ１５の当接部１５ａがストッカー３から退避し、積層された物品Ｍの自重により最下位の物品ＭＬがテーブル壁９に載せられ、搬出口４に臨んで待機する。始動位置Ｓから駆動位置Ｔに向けて移動するとき、スライダ１５の当接部１５ａが待機中の最下位の物品ＭＬの背端を押しながら移動するので、これにより最下位の物品ＭＬが搬出口４から押し出される。スライダ１５の駆動位置Ｔの終点を搬出口４の近傍に位置させ、押し出された物品ＭＬが搬出口４から落下するように構成しても良いが、図示実施形態の場合、駆動位置Ｔの終点で当接部１５ａがストッカー３の底部の中程に位置するように構成しており、物品ＭＬを図示のほぼ半分のように部分的にのみ搬出口４から押し出した状態で静止させ、顧客が物品ＭＬを摘んで搬出口４から引き出すように構成している。このように構成しておけば、搬出された物品ＭＬが落下しないので、ハウジング２の外側に受皿等を設ける必要がない。最下位の物品ＭＬが搬出口４から完全に取り出されると、次位の上側の物品Ｍがスライダ１５の上に載り、これが最下位の物品ＭＬとなる。再びスライダ１５を始動位置Ｓに移動するとき、物品Ｍは背壁１１により拘束されているので、最下位の物品ＭＬを所定位置に保持した状態で、スライダ１５がストッカー３から退避し、以後、同様の作用を繰り返す。
【００１８】
（操作機構の構成）
操作機構６は、図４に示すように、回転自在な摘み部材１６と、該摘み部材１６に同行して回転する回転体１７と、該回転体１７を一方向にのみ回転自在とするラチェットホイール１８を含むワンウエイ手段１９により構成されている。搬出口４の直下に位置してハウジング２の正面壁２ａに盤状のケーシング２０が取付けられており、該ケーシング２０を貫通する回転自在な駆動軸２１に前記摘み部材１６と回転体１７とラチェットホイール１８を同行回転するように軸着しており、摘み部材１６をケーシング２０の外側に配置する一方、回転体１７をケーシング２０の内部に収納し、ラチェットホイール１８をケーシング２０の内側でハウジング２の内部に臨んで配置している。
【００１９】
ケーシング２０は、上部にコイン投入用のスリット２２を開設しており、該スリット２２からケーシング２０の内部にコインが投入されたとき、摘み部材１６を始点から終点まで所定角度範囲で１回だけ回転可能とする操作許可機構２３が回転体１７とケーシング２０の間に設けられている。
【００２０】
図６（Ａ）にラチェットホイール１８を含むワンウエイ手段１９を示し、図６（Ｂ）にラチェットホイール１８を取外した状態で回転体１７を示し、図７（Ａ）（Ｂ）に操作許可機構２３を示している。
【００２１】
ワンウエイ手段１９は、図６（Ａ）に示すように、駆動軸２１に軸着されたラチェットホイール１８の歯に対して噛合方向にスプリング２５で付勢されたラチェット爪２４を進退自在に噛合しており、一方向にのみ回転可能、つまり、ハウジング２の外側から摘み部材１６を右回り方向（時計針方向）にのみ回転可能となるように構成している。
【００２２】
図６（Ｂ）に示すように、前記回転体１７は、周壁部２６を備えた円盤を構成し、ケーシング２０の円形状凹部２７に収納された状態で駆動軸２１により回転される。この際、回転体１７と凹部２７は、駆動軸２１の軸心に対して同心円状に形成され、回転体１７の周壁部２６と凹部２７の周縁との間に環状の通路２７ａを形成している。そこで、前記操作許可機構２３は、回転体１７の周壁部２６の一部に切欠形成されたコイン受取用のポケット２８と、該回転体１７とケーシング２０の間に設けられた係脱機構２９により構成され、スリット２２から投入されたコインＣがポケット２８に受け取られた状態で、該コインＣの周縁一部が前記通路２７ａに臨むように構成されている。図示実施形態の場合、駆動軸２１により摘み部材１６と同行回転する回転体１７は、ポケット２８をスリット２２に臨ませた位置を回転の始点としており、コイン投入により操作許可機構２３を働かせ、回転体１７を３６０度回転して再び始点に戻った位置を回転の終点としている。しかしながら、例えば、一対のポケット２８を回転体１７の直径方向に位置して形成し、回転体１７の始点から終点までの回転所定角度が１８０度となるように構成しても良く、ポケット２８の個数に応じて始点から終点までの回転所定角度を任意に設定することも可能である。
【００２３】
前記係脱機構２９は、回転体１７に設けたリブ状の円環壁３０と、ケーシング２０の凹部２７に設けた爪手段３１により構成されている。図７に示すように、円環壁３０は、回転体１７の軸心と同心円状に延び、一部に係止溝３２を切欠形成しており、該係止溝の長手方向の一端（回転方向の後側、図面において右側）に係止部３２ａを有する。爪手段３１は、揺動自在なアーム３３と、該アーム３３の先端３３ａが常時は円環壁３０に当接するように該アーム３３を回動付勢するスプリング３４により構成され、アーム３３から起立する作動片３３ｂを備えている。作動片３３ｂは、アーム３３が先端３３ａを係止溝３２に進入させた状態で通路２７ａに位置するが、アーム３３がスプリング３４に抗して回動したとき、通路２７ａの外側の退避室３５に退避する。
【００２４】
図６（Ｂ）に示すように、回転体１７が始点位置にあるとき、ポケット２８がスリット２２に臨み、アーム３３の先端３３ａが係止溝３２に進入しているが、係止部３２ａはアーム３３の先端３３ａから所定角度だけ離間した位置にある。従って、摘み部材１６を介して回転体１７を前記所定角度だけ遊動させることは可能であるが、係止部３２ａが先端３３ａに当接すると、それ以上は回転させることができない。
【００２５】
スリット２２から投入されたコインＣがポケット２８に受け取られた状態で回転体１７を前記のような遊動可能な所定角度まで回転すると、図７（Ａ）に示すように、通路２７ａを移動するコインＣの周縁がアーム３３の作動片３３ｂを押動し、アーム３３をスプリング３４に抗して揺動させ、これによりアーム３３の先端３３ａが係止溝３２から退避するので、係止部３２ａがアーム３３の先端３３ａに係止することなく通過し、回転体１７を終点に向けて回転することができる。
【００２６】
更に回転体１７を回転すると、図７（Ｂ）に示すように、コインＣにより押動された作動片３３ｂが退避室３５に退避し、これによりコインＣが作動片３３ｂに干渉しなくなるので、回転体１７を引き続いて終点まで回転することが可能になる。この際、回転体１７の回転と共にコインＣが作動片３３ｂを通過すると、スプリング３４によりアーム３３が揺動復帰し、先端３３ａを円環壁３０に当接した状態で回転体１７の回転を許し、回転体１７が終点に到達するとき、先端３３ａが係止溝３３に進入する。これにより回転体１７の始点から終点に至る１回のみの回転が許され、その後は、再度コインＣを投入しない限り回転体１７の回転が阻止される。
【００２７】
回転体１７の回転中、ポケット２８が下向きに位置すると、コインＣは落下する。このため、図３に示すように、コインＣの落下を案内するシュート３６と、落下したコインＣを貯留する受部材３７がハウジング２の内部に設けられている。
【００２８】
（連動機構の構成）
連動機構７は、図４に示すように、横軸回りに回転するように操作機構６の駆動軸２１の軸端に設けられた駆動ギヤ３８と、テーブル壁９の下方に固設された支持部３９に縦軸４０を介して軸支されて前記駆動ギヤ３８に噛合する従動ギヤ４１と、該従動ギヤ４１とスライダ１５を連結するクランクアーム４２により構成されており、クランクアーム４２の一端部は従動ギヤ４１の周縁近傍部にピン４３を介して回動自在に軸支され、他端部はスライダ１５にピン４４を介して回動自在に軸支されている。
【００２９】
従って、摘み部材１６により駆動軸２１を回転すると、駆動回転する駆動ギヤ３８により従動ギヤ４１が回転し、従動ギヤ４１が１回転する間に、スライダ１５が駆動位置Ｔと始動位置Ｓの間を１往復する。図示実施形態において、上述のように回転体１７が始点に位置するとき、スライダ１５は駆動位置Ｔに停止した状態で待機しており、回転体１７を１回転すると、スライダ１５が駆動位置Ｔから始動位置Ｓに往動すると共に、始動位置Ｓから駆動位置Ｔに復動する。
【００３０】
（ロック機構の構成）
上記の構成において、ストッカー３の物品Ｍが欠乏したとき、イジェクタ機構５のスライダ１５を移動不能とするロック機構４５が設けられており、ロック機構４５は、ストッカー３に積層された物品Ｍのうち最上位の物品ＭＵに載置される追従体４６を備え、追従体４６とスライダ１５の間において相互に係止する係止突起４７と係止孔４８により構成されている。
【００３１】
図示実施形態において、追従体４６は、分厚い金属盤等の重量物により形成され、両側壁１０、１０と背壁１１と前壁１２に拘束された状態でストッカー３に収納されるが、最上位の物品ＭＵの上に載置され、従って、イジェクタ機構５の作動により積層物品Ｍが下から順に搬出されることにより最上位の物品ＭＵが下降すると、該物品ＭＵに追従して追従体４６も下降する。図例の場合、係止突起４７を追従体４６に設け、係止孔４８をスライダ１５に設けており、係止突起４７は、頭部４７ａから垂設された軸部４７ｂを備え、該軸部４７ｂを追従体４６の上下に貫通する保持孔４９に下向きに摺動自在に挿通しており、係止突起４７の自重により頭部４７ａが追従体４６の上面に当接した状態で、軸部４７ａが追従体４６の下面から突出する。そこで、追従体４６の係止突起４７と、スライダ１５の係止孔４８は、スライダ１５が始動位置Ｓと駆動位置Ｔの間に位置するとき相互に対面するように位置が設定されている。
【００３２】
（物品供給装置の作用）
物品供給装置１の作用を図８ないし図１１に基づき説明する。上述のように物品購入を目的とする顧客がスリット２２にコインＣを投入すると、操作機構６を一方向にのみ且つ始点から終点まで所定角度範囲で１回だけ回転することができる。そこで、操作機構６を回転すると、ストッカー３の底部に臨む駆動位置Ｔで停止していたスライダ１５が始動位置Ｓまで移動することによりストッカー３から後退し、図８に示すように、最下位の物品ＭＬがテーブル壁９に載置される。
【００３３】
操作機構６を終点まで回転すると、図９に示すように、スライダ１５が始動位置Ｓから駆動位置Ｔまで移動し、この際、スライダ１５の当接部１５ａが最下位の物品ＭＬを搬出口４に押し出す。図例の場合、物品ＭＬは、所定長さＬ１だけ搬出口４から押し出され静止するので、顧客は物品ＭＬを引き出すことにより受け取ることができる。
【００３４】
積層された物品Ｍが下から順に搬出されることにより最上位の物品ＭＵが下降すると、これに追従して追従体４６も下降する。この際、追従体４６は、重量物により構成されており、錘として物品の積層体に下向きの力を与えているので、積層された物品Ｍの各々を相互に密接状態で整列する。そして、物品Ｍの積層個数が少なくなり自重だけでは好適に下降しないような場合でも、追従体４６が錘として機能するので、スライダ１５がストッカー３から後退するや否や、積層体の全体を下向きに付勢し、最下位の物品ＭＬをテーブル壁９に好適に載置させることができる。
【００３５】
物品供給を終え、物品供給装置１が待機状態にあるとき、スライダ１５は駆動位置Ｔで停止しており、次位の最下位の物品をテーブル壁９からやや持ち上げた状態で支持している。従って、不正者が搬出口４に針金等を差し込んで物品を引き出すことにより盗もうとしても、該物品は搬出口４の上方に偏位した位置にあるので、物品を搬出口４から引き出すことはできない。
【００３６】
ところで、コインＣの投入と操作機構６の操作を繰り返すことにより、図１０（Ａ）に示すように、ストッカー３に残存する物品が１個となったとき、最後の物品ＭＦの上に載置された追従体４６は、該物品により保持孔４９が遮られているので、係止突起４７を未だ下向きに突出していない。そこで、図１０（Ｂ）に示すように、顧客がコインＣを投入して操作機構６を操作することにより、上述と同様にスライダ１５が始動位置Ｓから駆動位置Ｔに向けて移動し、物品ＭＦを押し出すとき、スライダ１５の係止孔４８が保持孔４９に臨むや否や、係止突起４７が下降して係止孔４８に挿入される。
【００３７】
係止突起４７と係止孔４８の位置は、スライダ１５が始動位置Ｓから駆動位置Ｔに到達する前に係合するように設定されている。従って、搬出口４から押し出される物品ＭＦの押出長さＬ２は、上述した通常の長さＬ１よりも短いが、顧客は物品ＭＦを引き出すことにより受け取ることができる。そして、最後の物品ＭＦが顧客に供給されると、ストッカー３は物品欠乏状態になるが、追従体４６の係止突起４７がスライダ１５の係止孔４８に係止することによりイジェクタ機構５を移動不能とするロック機構４５が働いているので、最早、次の顧客が操作機構６を回転することはできない。
【００３８】
因みに、物品供給装置１の管理者が物品欠乏状態から改めて物品を装填する際には、追従体４６をストッカー３の上部開口３ａから取出し、物品を装填した後、最上位の物品の上に追従体４６を載せ、以後、上記と同様の作用が繰り返される。
【００３９】
（スリット閉鎖手段の構成）
ストッカー３が物品欠乏状態となりロック機構４５が機能しているとき、スライダ１５は、通常の待機位置とされた駆動位置Ｔに到達していない。即ち、始動位置Ｓと駆動位置Ｔの間の位置で停止している。つまり、上述のように、操作機構６の回転体１７が始点から終点までの１回の回転を３６０度とした図示実施形態の場合、回転体１７を１８０度回転したときにスライダ１５は駆動位置Ｔから始動位置Ｓまで往動し、回転体１７を更に１８０度回転したときスライダ１５は始動位置Ｓから駆動位置Ｔまで復動するように、操作機構６と、連動機構７及びイジェクタ機構５と、ロック機構４５の相互の作動位置関係が構成されている。従って、ロック機構４５が働くのは、回転体１７が始点から回転し、その回転角度が１８０度から３６０度の間となった位置である。そこで、回転体１７は、前記回転角度の範囲に位置する周壁部２６により閉鎖部２６ａを形成している。
【００４０】
従って、図１１（Ａ）（Ｂ）に示すように、スリット２２にコインＣを投入し、摘み部材１６を回転したとき、回転体１７の回転が１８０度を超えると最後の物品ＭＦが搬出口４から押し出され、回転体１７の回転位置が例えば２７０度近辺に位置したとき、前述のようにロック機構４５が働き、そのとき、回転体１７の閉鎖部２６ａがスリット２２を閉鎖する。図例のように、閉鎖部２６ａは、スリット２２から外部に露出するように構成されていることが好ましく、外部から視認できるように該露出部に例えば「売り切れ」又は「品切れ」等の文字や、或いは、目立つ色彩模様等から成る物品欠乏情報を表示するのが好ましい。
【００４１】
このように物品が欠乏したときスリット２２を閉鎖することにより、次の顧客がスリット２２にコインＣを投入するというトラブルが防止される。また、悪戯にチューインガム等の異物をスリット２２に充填されることもない。
【００４２】
（搬出口閉鎖手段の構成）
ストッカー３の物品が欠乏し、該ストッカー３の底部に位置して追従体４６がスライダ１５に載せられた状態において、図１２（Ａ）に示すように、追従体４６の前端面４６ａにより搬出口４を閉鎖するように構成することができる。上述のように、追従体４６を搬出口４の上下開口寸法を超える分厚い盤状体に形成しておけば、それだけでも前端面４６ａにより搬出口４を閉鎖することができるが、図１２（Ａ）に示すように、テーブル壁９の上面からスライダ１５の当接部１５ａの高さに相当する下顎部４６ｂを形成すれば、搬出口４をいっそう好適に閉鎖することができる。更に、図１２（Ｂ）に示すように、ストッカー３の両側壁１０、１０に前壁１２に臨んで左右に拡張された張出壁１０ａを形成することにより、追従体４６に該張出壁１０ａ、１０ａに及ぶ耳片４６ｃを形成し、これにより前端面４６ａが搬出口４の長さを超えるように構成しておけば、搬出口４を更にいっそう好適に閉鎖することが可能になる。尚、外部から搬出口４を介して視認できるように、前端面４６ａに例えば「売り切れ」又は「品切れ」等の文字や、或いは、目立つ色彩模様等から成る物品欠乏情報を表示することができる。
【００４３】
これにより、次の顧客が物品欠乏状態であることを容易に知ることが可能になり、また、悪戯にチューインガム等の異物を搬出口４に充填されることもない。
【００４４】
上記は本発明の好ましい実施形態を説明したものであり、これにより本発明が限定されないことは勿論である。例えば、イジェクタ機構５を構成するスライダ１５は、図例のような往復移動する構成の他、一方向に回転する円盤により構成しても良く、要するに最下位の物品ＭＬを押し出すと共に、追従体４６との間でロック機構５を構成できるものであれば良い。また、図例では、ストッカー３の底部でロック機構５が作用する構成を示したが、追従体４６とイジェクタ機構５にストッカー３の側部に突出するアーム等を設け、両アーム間にロック機構５を構成しても良い。また、連動機構７、イジェクタ機構５、ロック機構４５は、図示の構成の他、種々の機械的手段を採用することが可能である。更に、上記では物品Ｍとしてカード物品を例示したが、箱形やボール形等の物品Ｍの供給装置としても、特許請求の範囲に記載された本発明の精神に基づき、設計変更を加えることにより実施可能である。
【図面の簡単な説明】
【００４５】
【図１】本発明の１実施形態を備えた物品供給装置を例示する正面図である。
【図２】本発明の１実施形態を備えた物品供給装置を例示する背面図である。
【図３】本発明の１実施形態を備えた物品供給装置を例示する縦断側面図である。
【図４】操作機構と連動機構とイジェクタ機構を示す拡大断面図である。
【図５】１つのストッカーに対応する機構を一部断面にて示す背面図である。
【図６】操作機構を示しており、（Ａ）はワンウエイ手段を示す背面図、（Ｂ）はワンウエイ手段を取り除くことにより操作許可機構を示す背面図である。
【図７】操作許可機構の作用を示しており、（Ａ）は投入されたコインによりアームが作動開始した状態を一部断面にて示す背面図、（Ｂ）はアームが完全作動した状態を一部断面にて示す背面図である。
【図８】イジェクタ機構の作用を示しており、スライダが始動位置に移動した状態を示す断面図である。
【図９】イジェクタ機構の作用を示しており、スライダが駆動位置に移動した状態を示す断面図である。
【図１０】ロック機構の作用を示しており、最後の物品が押し出されロック機構が働いた状態を示す断面図である。
【図１１】ロック機構が作用するときの操作機構の状態を示しており、（Ａ）はコイン投入時の操作機構を正面から示す斜視図、（Ｂ）は操作機構を手動操作することにより最後の物品が押し出された状態を正面から示す斜視図、（Ｃ）はロック機構が働きスリットが閉鎖部により閉鎖された状態を正面から示す斜視図、（Ｄ）はスリットを閉鎖した閉鎖部を示す背面図である。
【図１２】搬出口の閉鎖状態を示しており、（Ａ）は搬出口を閉鎖する追従体の前端面の構成の１例を示す縦断面図、（Ｂ）は別の例を示す横断面図である。
【符号の説明】
【００４６】
１  物品供給装置
２  ハウジング
３  ストッカー
４  搬出口
５  イジェクタ機構
６  操作機構
７  連動機構
９  テーブル壁
１３  ガイド部材
１４  ガイド路
１５  スライダ
１６  摘み部材
１７  回転体
１９  ワンウエイ手段
２０  ケーシング
２１  駆動軸
２２  スリット
２３  操作許可機構
２６  周壁部
２６ａ  閉鎖部
２８  ポケット
２９  係脱機構
３８  駆動ギヤ
４１  従動ギヤ
４２  クランクアーム
４５  ロック機構
４６  追従体
４６ａ  前端面
４７  係止突起
４８  係止孔
【図１】
0004392762.tif 000002
【図２】
0004392762.tif 000003
【図３】
0004392762.tif 000004
【図４】
0004392762.tif 000005
【図５】
0004392762.tif 000006
【図６】
0004392762.tif 000007
【図７】
0004392762.tif 000008
【図８】
0004392762.tif 000009
【図９】
0004392762.tif 000010
【図１０】
0004392762.tif 000011
【図１１】
0004392762.tif 000012
【図１２】
0004392762.tif 000013